【事件の表示】
　特願２０１４−１２９３１８号「遊技機」拒絶査定不服審判事件〔平成２８年１月１８日出願公開、特開２０１６−７３２９号〕について、次のとおり審決する。
【結　論】
　本件審判の請求は、成り立たない。
【理　由】
第１　手続の経緯
　本願は、平成２６年６月２４日の出願であって、平成２９年４月２７日に手続き補正書が提出され、平成３０年２月５日付けで拒絶の理由が通知され、同年４月９日に意見書及び手続補正書が提出され、同年９月１９日付けで最後の拒絶の理由が通知され、同年１１月２６日に意見書及び手続補正書が提出されたところ、平成３１年４月２３日付け（送達日：令和１年５月９日）で、平成３０年１１月２６日付け手続補正書による補正が却下されるとともに拒絶査定がなされ、それに対して、令和１年８月９日に拒絶査定不服審判の請求がなされると同時に手続補正書が提出され、これに対し、当審において、令和２年２月１０日付けで拒絶の理由が通知され、令和２年４月１０日に意見書及び手続補正書が提出されたものである。
第２　本願請求項１に係る発明 
　令和２年４月１０日付け手続補正書による補正は、特許請求の範囲を補正する内容を含んでおり、当該補正後の特許請求の範囲の請求項１に係る発明は次のとおりのものである（以下「本願発明」という。Ａ〜Ｊは分説のため当審にて付与した。）。
「Ａ　所定の条件の成立に基づいて、始動情報を取得する始動情報取得手段と、
Ｂ　所定の上限数を限度に、前記始動情報を保留記憶として記憶する保留記憶手段と、
Ｃ　前記保留記憶手段に記憶された前記始動情報に基づき、遊技者にとって有利な特定遊技状態とするか否かの抽選を行う抽選手段と、
Ｄ　所定の開始条件が成立したことに基づいて複数の識別情報表示位置のそれぞれにおいて識別情報の可変表示を開始し、前記抽選に当選した場合に、複数の前記識別情報表示位置に停止表示される識別情報の組み合わせとして当り識別情報の組み合わせを停止表示する識別情報表示手段と、
Ｅ　前記開始条件の成立に先立って、前記始動情報を判定する先読み判定手段と、
Ｆ　前記保留記憶手段に記憶された前記始動情報に基づく保留表示を表示可能な保留表示手段と、
Ｇ　前記先読み判定手段による判定結果に基づいて、前記開始条件の成立前に前記保留表示を、通常保留表示態様または該通常保留表示態様とは異なる特別保留表示態様で表示することにより、前記特定遊技状態となる可能性を予告する保留変化予告を実行する保留変化予告制御手段と、
Ｈ　前記識別情報表示手段により前記識別情報の可変表示が開始される場合に、該可変表示に対応する前記保留表示を特定表示として所定領域に表示可能な特定表示手段と、
Ｉ　前記抽選手段および／または前記先読み判定手段による判定結果に基づいて、前記特定表示を、通常表示態様とは異なる特別表示態様で表示することにより、前記特定遊技状態となる可能性を予告する特定表示予告を実行する特定表示予告制御手段とを備えた遊技機であって、
Ｊ　前記特定表示予告制御手段は、前記識別情報の可変表示として、前記特定表示予告がその後に実行されることを示唆する識別情報であって前記当り識別情報の組み合わせを構成しない特定識別情報が、前記複数の前記識別情報表示位置の少なくとも一つに停止表示された場合に、その後該特定表示予告を実行し、
　前記特定識別情報が停止表示された場合には、その後、前記特定表示予告を実行するとともに前記特定識別情報が停止表示された前記識別情報位置を含む全ての前記識別情報表示位置において前記特定識別情報以外の前記識別情報の可変表示を開始することを特徴とする、遊技機。」
第３　拒絶の理由 
　令和２年２月１０日付けの当審における拒絶の理由の概要は、以下のとおりのものを含む。
（新規性）本件出願の下記の請求項に係る発明は、その出願前日本国内または外国において頒布された下記の刊行物に記載された発明又は電気通信回線を通じて公衆に利用可能となった発明であるから、特許法第２９条第１項第３号に該当し、特許を受けることができない。
　　　　　　　　　　　　　　　　　　　　記
・請求項　１
・引用文献等　１
１．特開２０１３−２５２４５６号公報
第４　引用文献に記載された事項
　１　引用文献１
　当審における拒絶の理由（令和２年２月１０日付け拒絶理由通知）に引用文献１として引用され、本願の出願前に頒布された特開２０１３−２５２４５６号公報（以下「引用文献１」という。）には、図面とともに次の事項が記載されている（下線は当審で付した）。
（１）「【００１２】
［パチンコ遊技機１の概略構成例］
　まず、図１を参照しつつ、
パチンコ遊技機１
（２）「【００６５】
　
メインＣＰＵ１０１は、第１始動口スイッチ１１１からの検知信号が入力されたタイミングで取得情報としての各種乱数を取得し、取得した乱数を用いて第１特別図柄判定を実行する。
大当たりであると判定した場合には、大入賞口制御部１１６を介して大入賞口１３を開閉する
（３）「【００７６】
　
画像音響制御基板１４０
装飾図柄の変動表示制御
保留アイコン等の表示制御が行われる
（４）「【００７７】
[本実施形態のパチンコ遊技機１の動作概要]
　次に、本実施形態に係るパチンコ遊技機１の動作概要について説明する。図６は、本実施形態に係るパチンコ遊技機１の動作概要を示す図である。図６に示すように、遊技球が第１始動口１１に入賞した場合、第１始動口スイッチ１１１が当該遊技球の入賞を検知し、当該
検知情報に基づいて第１特別図柄判定の権利が
遊技制御基板１００
保留される
保留された第１特別図柄判定の権利（保留球）が消化されて当たり判定が行われるとともに、当該第１特別図柄判定の権利に基づく第１特別図柄の変動制御が開始される
第１特別図柄判定の権利が保留される際に、当該権利に対して事前判定処理が行われ
・・・
【００７９】
　また、
第１特別図柄が変動開始した場合に
第１特別図柄に対応する装飾図柄が変動開始され
第１特別図柄判定の
当たり判定情報に基づいて
装飾図柄が変動停止される
・・・
【００８１】
　図７に示すように、
メイン液晶表示装置５
装飾図柄５１は、左領域５１ａ、中領域５１ｂ、右領域５１ｃの３つの領域に表示される図柄によって構成される
【００８２】
　また、保留アイコン５２は、
第１特別図柄判定の権利を示す画像であ
第１特別図柄判定の権利は、最大で４つ保留され
保留アイコン５２１〜５２４が表示
当該保留（当該変動）アイコン５２０
【００８３】
　保留アイコン５２は、右から順に消化される。すなわち、
当該保留アイコン５２０は、現在変動中の特別図柄に対応する画像である。
（５）「【０１０９】
　図１４は、保留アイコンの表示態様が変化する様子を示す図である。図１５は、当該保留アイコンの表示態様が変化する様子を示す図である。図１４に示すように、
保留アイコン
５２１〜５２４
の色
例えば通常は白であり、事前判定の結果に応じて
変化
大当たりとなることに対する信頼度に応じて
青、黄、赤
【０１１０】
　また、図１５に示すように、
当該保留アイコン５２０の
保留アイコン（５２１〜５２４）と同様に
当該変動中に、変動開始時の当たり判定の結果に応じて
色が変化する
（６）「【０１１４】
　図１７に示すように、例えば、当該変動において
擬似連続予告演出
擬似連の回数が進行することに応じて当該保留アイコン５２０が変化
装飾図柄５１が
１回目の擬似停止が行われ
擬似停止状態では、
中装飾図柄５１ｂとして
擬似停止状態であることを示す
「連続」の文字が書かれた装飾図柄が用意されて擬似停止され
【０１１５】
　その後、図１９に示すように、
２回目の擬似変動が開始され、２回目の擬似変動中に当該保留アイコン５２０の色が青から黄に変化する。そして、２回目の擬似停止が行われる。
３回目の擬似変動が開始され、３回目の擬似変動中に当該保留アイコン５２０の色が黄から赤に変化する。そして、３回目の擬似停止が行われ
４回目の擬似変動が開始され
・・・
【０１１８】
　なお、
当該保留アイコン５２０の変化のタイミングは
擬似変動の開始のタイミング
当該保留アイコン５２０が変化
当該保留アイコン５２０自体の表示態様の変化
（７）「【０１３０】
　ステップＳ８の処理に続いて、
メインＣＰＵ１０１
遊技情報が演出制御基板１３０に送信される
遊技情報は
変動開始コマンド
に含まれる情報
（８）「【０１４７】
［遊技制御基板１００による特別図柄処理］
　次に、図２７を参照しつつ、遊技制御基板１００によって実行される特別図柄処理の詳細について説明する。ここで、図２７は、図２２のステップＳ３における特別図柄処理の詳細フローチャートである。図２７に示されるように、
遊技制御基板１００
【０１４８】
　メインＣＰＵ１０１は、
特別遊技中ではない
【０１４９】
　メインＣＰＵ１０１は、
特別図柄の変動表示中ではない
【０１５０】
　メインＣＰＵ１０１は、
第２始動口入賞に係る乱数が判定用記憶領域に記憶されていない
【０１５１】
　
メインＣＰＵ１０１は、保留数Ｕ１が「１」以上であると判定した場合
、
【０１５２】
　メインＣＰＵ１０１は、ステップＳ３０６の処理を実行した場合、又は第２始動口入賞に係る乱数が判定用記憶領域に記憶されていると判定した場合（ステップＳ３０３：ＹＥＳ）、判定用記憶領域に記憶されている乱数に基づいて、
大当たり判定処理を実行
（９）「【０１６２】
　メインＣＰＵ１０１は、変動時間が経過したと判定した場合（ステップＳ３１５：ＹＥＳ）、第１特別図柄表示器４１又は第２特別図柄表示器４２に特別図柄判定の判定結果を示す判定図柄が停止表示されることを通知する変動停止コマンドをメインＲＡＭ１０３にセットする（ステップＳ３１６）。この変動停止コマンドは、ステップＳ９における送信処理によって演出制御基板１３０に送信される。これにより、
メイン液晶表示装置５に変動表示されていた装飾図柄を特別図柄判定の判定結果を示す態様で停止表示させる
（１０）「【０２６７】
　ステップＳ１３０８で装飾図柄の変動演出が決定されると、演出制御部は、決定した変動演出を開始する（ステップＳ１３０９）。これにより、
装飾図柄５１がメイン液晶表示装置５において変動表示され
【０２６８】
　次に、演出制御部は、各保留アイコン５２１〜５２４を右にシフトさせる（ステップＳ１３１０）。これにより、
最も早く消化される保留アイコン５２１
は、当該保留アイコン５２０として最も右側に移動し
（１１）「【０２８５】
　なお、
当該保留アイコン５２０に対応する特別図柄の変動開始前において、既に当該保留アイコン５２０の表示態様が変化している場合
変化したままの表示態様で保留アイコン５２１が右にシフトして
当該保留アイコン５２０となる
（１２）（【図１８】１回目の装飾図柄の擬似変動を示す図、【図１９】２回目の装飾図柄の擬似変動を示す図、【図２０】３回目の装飾図柄の擬似変動を示す図、【図２１】４回目の装飾図柄の擬似変動を示す図）
【図１８】
【図１９】
【図２０】
【図２１】
　２　上記１（１２）の図面と、上記１（４）（【００８１】段落）の「装飾図柄５１は、左領域５１ａ、中領域５１ｂ、右領域５１ｃの３つの領域に表示される図柄によって構成される」という記載から、引用文献１には、次の技術事項が記載されているものと認められる。
　上記１（１２）で摘記した図面から、引用文献１には、「装飾図柄の疑似変動を開始すると、左領域５１ａ、中領域５１ｂ、右領域５１ｃの３つの領域で可変表示が開始される」ことが見て取れる。
　３　上記１の記載事項、及び、上記２の認定事項を総合すると、引用文献１には、次の発明（以下、「引用発明」という。）が記載されていると認められる（記号ａ〜ｊは、本願発明の記号Ａ〜Ｊに対応させて付した。（　）内は引用文献１の対応箇所を示している。）。
（引用発明）
「ａ　第１始動口スイッチ１１１からの検知信号が入力されたタイミングで各種乱数を取得し、取得した乱数を用いて第１特別図柄判定を実行し、当たり判定が行われるとともに、当該第１特別図柄判定の権利に基づく第１特別図柄の変動制御が開始される、メインＣＰＵ１０１と（【００６５】、【００７７】、【０１３０】）、
ｂ　検知情報に基づいて、第１特別図柄判定の権利が最大で４つ保留される遊技制御基板１００と（【００７７】、【００８２】）、
ｃ　特別遊技中ではなく、特別図柄の変動表示中でもなく、第２始動口入賞に係る乱数が判定用記憶領域に記憶されておらず、保留数Ｕ１が「１」以上である場合に、保留された第１特別図柄判定の権利（保留球）を消化し、取得した乱数を用いて第１特別図柄判定を実行し、大当たりであると判定した場合には、大入賞口制御部１１６を介して大入賞口１３を開閉するメインＣＰＵ１０１と（【００６５】、【００７７】、【０１４７】−【０１５２】）、
ｄ　特別遊技中ではなく、特別図柄の変動表示中でもなく、第２始動口入賞に係る乱数が判定用記憶領域に記憶されておらず、保留数Ｕ１が「１」以上である場合、大当たり判定処理を実行し、第１特別図柄が変動開始し、第１特別図柄に対応する装飾図柄５１が変動開始され、装飾図柄５１は、左領域５１ａ、中領域５１ｂ、右領域５１ｃの３つの領域に表示される図柄によって構成され、第１特別図柄判定の当たり判定情報に基づいて、変動表示されていた装飾図柄を特別図柄判定の判定結果を示す態様で停止表示させるメイン液晶表示装置５と（【００７９】、【００８１】、【０１４７】−【０１５２】、【０１６２】、上記２）、
ｅ　第１特別図柄判定の権利が保留される際に、当該権利に対して事前判定処理を行う遊技制御基板１００と（【００７７】）、
ｆ　最大で４つ保留され、第１特別図柄判定の権利を示す画像である保留アイコン５２１〜５２４が表示されるメイン液晶表示装置５と（【００８１】−【００８２】）、
ｇ　事前判定の結果に応じて保留アイコン５２１〜５２４の色を変化させ、保留アイコン５２１〜５２４の色は、例えば通常は白であり、大当たりとなることに対する信頼度に応じて青、黄、赤とする画像音響制御基板１４０と（【００７６】、【０１０９】）、
ｈ　装飾図柄５１がメイン液晶表示装置５において変動表示を開始すると、最も早く消化される保留アイコン５２１を、現在変動中の第１特別図柄に対応する画像である当該保留（当該変動）アイコン５２０として最も右側に移動して表示されるメイン液晶表示装置５と（【００８１】−【００８３】、【０２６７】−【０２６８】）、
ｉ　当該保留アイコン５２０に対応する特別図柄の変動開始前において、既に当該保留アイコン５２０の表示態様が変化している場合、変化したままの表示態様で保留アイコン５２１が右にシフトし、当該保留アイコン５２０となり、当該変動中に、変動開始時の当たり判定の結果に応じて、当該保留アイコン５２０の色を、保留アイコン５２１〜５２４と同様に、例えば通常は白であり、大当たりとなることに対する信頼度に応じて青、黄、赤とする画像音響制御基板１４０とを備えたパチンコ遊技機１であって（【００１２】、【００７６】、【０１０９】−【０１１０】、【０２８５】）、
ｊ　画像音響制御基板１４０により、擬似連の回数が進行することに応じて当該保留アイコン５２０が変化する擬似連続予告演出が行われ、装飾図柄５１の擬似変動後の擬似停止状態では、中装飾図柄５１ｂとして、疑似停止状態であることを示す、「連続」の文字が書かれた装飾図柄が擬似停止されるものであって、１回目の擬似停止が行われた後、２回目の擬似変動が開始され、２回目の擬似変動中に当該保留アイコン５２０の色が青から黄に変化し、２回目の擬似停止が行われ、次に、３回目の擬似変動が開始され、３回目の擬似変動中に当該保留アイコン５２０の色が黄から赤に変化し、３回目の擬似停止が行われ、その後、４回目の擬似変動が開始され、当該保留アイコン５２０自体の表示態様の変化は、擬似変動の開始のタイミングである、パチンコ遊技機１（【００１２】、【００７６】、【０１１４】−【０１１５】、【０１１８】）。」
第５　対比
　本願発明と引用発明とを対比する（対比にあたっては、本願発明の構成Ａ〜Ｊと引用発明の構成ａ〜ｊについて、それぞれ（ａ）〜（ｊ）の見出しを付して行った。）。
（ａ）引用発明の構成ａの「第１始動口スイッチ１１１からの検知信号が入力され」ることは、本願発明の構成Ａの「所定の条件」が「成立」したことに相当し、
　引用発明の構成ａの「各種乱数を取得する」ことは、取得した乱数を用いて「第１特別図柄判定を実行」し、「当該第１特別図柄判定の権利に基づく第１特別図柄の変動制御が開始される」のであるから、本願発明の構成Ａの「始動情報を取得」することに相当する。
　よって、引用発明の構成ａの「メインＣＰＵ１０１」は、本願発明の構成Ａの「始動情報取得手段」に相当する構成を備える。
　したがって、引用発明の構成ａは、本願発明の構成Ａに相当する。
（ｂ）引用発明の構成ｂの「最大で４つ」は、本願発明の構成Ｂの「所定の上限数」に相当し、
引用発明の構成ｂの「第１特別図柄判定の権利」が「保留される」ことは、本願発明の構成Ｂの「始動情報を保留記憶として記憶する」ことに相当する。
　よって、引用発明の構成ｂの「遊技制御基板１００」は、本願発明の構成Ｂの「保留記憶手段」に相当する構成を備える。
　したがって、引用発明の構成ｂは、本願発明の構成Ｂに相当する。
（ｃ）引用発明の構成ｃの「取得した乱数を用いて第１特別図柄判定を実行する」ことは、これを行うに際し「保留された第１特別図柄判定の権利（保留球）が消化」されて当たり判定が行われるものであり、さらに、「大当たりであると判定した場合には、大入賞口制御部１１６を介して大入賞口１３を開閉する」のだから、本願発明の構成Ｃの「前記保留記憶手段に記憶された前記始動情報に基づき、遊技者にとって有利な特定遊技状態とするか否かの抽選を行う」ことに相当する。
　その結果、引用発明の構成ｃの「メインＣＰＵ１０１」は、本願発明の構成Ｃの「抽選手段」に相当する構成を備える。
　したがって、引用発明の構成ｃは、本願発明の構成Ｃに相当する。
（ｄ）引用発明の構成ｄの「特別遊技中ではなく、特別図柄の変動表示中でもなく、第２始動口入賞に係る乱数が判定用記憶領域に記憶されておらず、保留数Ｕ１が「１」以上である」という条件、「装飾図柄５１」、及び「左領域５１ａ、中領域５１ｂ、右領域５１ｃの３つの領域」のそれぞれ、は、本願発明の構成Ｄの「所定の開始条件」、「識別情報」及び「複数の識別情報表示位置のそれぞれ」に相当するので、引用発明の構成ｄの「特別遊技中ではなく、特別図柄の変動表示中でもなく、第２始動口入賞に係る乱数が判定用記憶領域に記憶されておらず、保留数Ｕ１が「１」以上である場合、大当たり判定処理を実行し、第１特別図柄が変動開始し、第１特別図柄に対応する装飾図柄５１が変動開始され、装飾図柄５１は、左領域５１ａ、中領域５１ｂ、右領域５１ｃの３つの領域に表示される図柄によって構成され」ることは、本願発明の構成Ｄの「所定の開始条件が成立したことに基づいて複数の識別情報表示位置のそれぞれにおいて識別情報の可変表示を開始」することに相当する。
　また、引用発明の構成ｄの「第１特別図柄判定の当たり判定情報に基づいて、変動表示されていた装飾図柄を特別図柄判定の判定結果を示す態様で停止表示させる」ことは、「第１特別図柄判定」が当たりであれば、「特別図柄判定の判定結果を示す態様」も当たりの図柄となることは明らかであるので、本願発明の構成Ｄの「前記抽選に当選した場合に、複数の前記識別情報表示位置に停止表示される識別情報の組み合わせとして当り識別情報の組み合わせを停止表示する」ことに相当する。
　その結果、引用発明の構成ｄの「メイン液晶表示装置５」は、本願発明の構成Ｄの「識別情報表示手段」に相当する構成を備える。
　したがって、引用発明の構成ｄは、本願発明の構成Ｄに相当する。
　
（ｅ）引用発明の構成ｅの「第１特別図柄判定の権利が保留される際」は、「特別遊技中ではなく、特別図柄の変動表示中でもなく、第２始動口入賞に係る乱数が判定用記憶領域に記憶されておらず、保留数Ｕ１が「１」以上である」という条件（所定の開始条件である。上記（ｄ）を参照。）が成立するよりも前であることは明らかであるので、引用発明の構成ｅの「第１特別図柄判定の権利が保留される際に、当該権利に対して事前判定処理を行」うことは、本願発明の構成Ｅの「前記開始条件の成立に先立って、前記始動情報を判定する」ことに相当する。
　その結果、引用発明の構成ｅの「遊技制御基板１００」は、本願発明の構成Ｅの「先読み判定手段」に相当する構成を備える。
　したがって、引用発明の構成ｅは、本願発明の構成Ｅに相当する。
（ｆ）引用発明の構成ｆの「第１特別図柄判定の権利を示す画像である保留アイコン５２１〜５２４」は、本願発明の構成Ｆの「前記保留記憶手段に記憶された前記始動情報に基づく保留表示」に相当する。
　その結果、引用発明の構成ｆの「メイン液晶表示装置５」は、本願発明の構成Ｆの「保留表示手段」に相当する構成を備える。
　したがって、引用発明の構成ｆは、本願発明の構成Ｆに相当する。
（ｇ）引用発明の構成ｇの「事前判定の結果」は、本願発明の構成Ｇの「前記先読み判定手段による判定結果」に相当する。
　また、引用発明の構成ｇの「保留アイコン５２１〜５２４の色」が「通常」の「白」であることは、保留アイコンが表示されている以上、当該変動の後に行われる変動の開始条件である、「特別遊技中ではなく、特別図柄の変動表示中でもなく、第２始動口入賞に係る乱数が判定用記憶領域に記憶されておらず、保留数Ｕ１が「１」以上である」という条件（所定の開始条件である。上記（ｄ）を参照。）が成立するよりも前であることは明らかであるので、本願発明の構成Ｇの「前記開始条件の成立前に」「通常保留表示態様」で「保留表示を」行うことに相当し、同様に、引用発明の構成ｇの「保留アイコンの色」を「青、黄、赤と」して表示することは、本願発明の構成Ｇの「前記開始条件の成立前に」「通常保留表示態様とは異なる特別保留表示態様で表示」することに相当する。
　そして、引用発明の構成ｇの「保留アイコンの色」を「大当たりとなることに対する信頼度に応じて青、黄、赤とする」ことは、本願発明の構成Ｇの「前記特定遊技状態となる可能性を予告する保留変化予告を実行する」ことに相当する。
　その結果、引用発明の構成ｇの「画像音響制御基板１４０」は、本願発明の構成Ｇの「保留変化予告制御手段」に相当する構成を備える。
　したがって、引用発明の構成ｇは、本願発明の構成Ｇに相当する。
（ｈ）引用発明の構成ｈの「装飾図柄５１がメイン液晶表示装置５において変動表示を開始する」場合は、本願発明の構成Ｈの「前記識別情報表示手段により前記識別情報の可変表示が開始される場合」に相当し、引用発明の構成ｈの「最も早く消化される保留アイコン５２１を、現在変動中の第１特別図柄に対応する画像である当該保留（当該変動）アイコン５２０として最も右側に移動して表示」することは、本願発明の構成Ｈの「該可変表示に対応する前記保留表示を特定表示として所定領域に表示」することに相当する。
　その結果、引用発明の構成ｈの「メイン液晶表示装置５」は、本願発明の構成Ｈの「特定表示手段」に相当する構成を備える。
　したがって、引用発明の構成ｈは、本願発明の構成Ｈに相当する。
（ｉ）引用発明の構成ｉの「変動開始時の当たり判定の結果に応じ」ることは、本願発明の構成Ｉの「前記抽選手段による判定結果に基づ」くことに相当し、引用発明の構成ｉの「大当たりとなることに対する信頼度」は、本願発明の構成Ｉの「特定遊技状態となる可能性」に相当し、引用発明の構成ｉの「当該保留アイコン５２０の色を」通常の白でない「青、黄、赤とする」ことは、本願発明の構成Ｉの「特定表示を、通常表示態様とは異なる特別表示態様で表示すること」に相当する。
　また、「当該保留アイコン５２０に対応する特別図柄の変動開始前において、既に当該保留アイコン５２０の表示態様が変化している場合」「変化したままの表示態様で保留アイコン５２１が右にシフトして」「当該保留アイコン５２０とな」り、「現在の当該保留アイコン５２０の表示態様も考慮して最終表示態様が決定される」から、引用発明の構成ｉの当該保留アイコン５２０の色を青から黄または赤とすることは、「変動開始時の当たり判定の結果に応じ」るのみならず、「事前判定の結果」にも基づくものであることを意味している。
　その結果、引用発明の構成ｉの「画像音響制御基板１４０」は、本願発明の構成Ｉの「特定表示予告制御手段」に相当する。
　また、引用発明の構成ｉの「パチンコ遊技機１」は、本願発明の構成Ｉの「遊技機」に相当する構成を備える。
　したがって、引用発明の構成ｉは、本願発明の構成Ｉに相当する。
（ｊ）引用発明の構成ｊの「「連続」の文字が書かれた装飾図柄」は、「擬似連の回数が進行することに応じて当該保留アイコン５２０が変化する擬似連続予告演出」で「疑似停止状態であることを示す」ものであると同時に、擬似連続予告演出が行われると、「擬似連の回数が進行することに応じて当該保留アイコン５２０が変化」することがあるのだから、「特定表示予告がその後に実行されることを示唆」していることは自明であるので、本願発明の構成Ｊの「特定表示予告がその後に実行されることを示唆する識別情報であって前記当り識別情報の組み合わせを構成しない特定識別情報」に相当する。
　よって、引用発明の構成ｊの「中装飾図柄５１ｂとして」「「連続」の文字が書かれた装飾図柄が用意されて擬似停止され」ることは、本願発明の構成Ｊの「前記特定表示予告がその後に実行されることを示唆する識別情報であって前記当り識別情報の組み合わせを構成しない特定識別情報が、前記複数の前記識別情報表示位置の少なくとも一つに停止表示された場合」に相当する。
　また、引用発明の構成ｊの「２回目の擬似変動が開始され、２回目の擬似変動中に当該保留アイコン５２０の色が青から黄に変化」することにおける、「当該保留アイコン５２０の色が青から黄に変化」することは、本願発明の構成Ｊの「その後該特定表示予告を実行」することに相当する。
　そして、引用発明の構成ｊの「擬似変動が開始」することは、「装飾図柄の疑似変動を開始すると、左領域５１ａ、中領域５１ｂ、右領域５１ｃの３つの領域で可変表示が開始される」（上記第４　２の認定事項を参照。）のであり、「１回目の擬似停止」として、「中装飾図柄５１ｂとして」「「連続」の文字が書かれた装飾図柄が用意されて擬似停止され」た後、「２回目の擬似変動が開始され」るのであり、「２回目の擬似変動」では、「左領域５１ａ、中領域５１ｂ、右領域５１ｃの３つの領域で」「「連続」の文字が書かれた装飾図柄」以外の装飾図柄５１が変動していることは技術常識からみて自明であるので、
　引用発明の構成ｊの「１回目の擬似停止」として、「中装飾図柄５１ｂとして」「「連続」の文字が書かれた装飾図柄が用意されて擬似停止され」た後、「２回目の擬似変動が開始され」ることは、本願発明の構成Ｊの「前記特定識別情報が停止表示された場合に」「その後」、「前記特定識別情報が停止表示された前記識別情報位置を含む全ての前記識別情報表示位置において前記特定識別情報以外の前記識別情報の可変表示を開始する」ことに相当する。
　そして、引用発明の構成ｊの「当該保留アイコン５２０自体の表示態様の変化は、擬似変動の開始のタイミングである」ことは、本願発明の構成Ｊの「前記特定表示予告を実行するとともに」「前記識別情報の可変表示を開始する」ことに相当する。
　したがって、引用発明の構成ｊは、本願発明の構成Ｊに相当する。
　　　上記（ａ）〜（ｊ）の検討により、本願発明と引用発明とは、
［一致点］
「Ａ　所定の条件の成立に基づいて、始動情報を取得する始動情報取得手段と、
Ｂ　所定の上限数を限度に、前記始動情報を保留記憶として記憶する保留記憶手段と、
Ｃ　前記保留記憶手段に記憶された前記始動情報に基づき、遊技者にとって有利な特定遊技状態とするか否かの抽選を行う抽選手段と、
Ｄ　所定の開始条件が成立したことに基づいて複数の識別情報表示位置のそれぞれにおいて識別情報の可変表示を開始し、前記抽選に当選した場合に、複数の前記識別情報表示位置に停止表示される識別情報の組み合わせとして当り識別情報の組み合わせを停止表示する識別情報表示手段と、
Ｅ　前記開始条件の成立に先立って、前記始動情報を判定する先読み判定手段と、
Ｆ　前記保留記憶手段に記憶された前記始動情報に基づく保留表示を表示可能な保留表示手段と、
Ｇ　前記先読み判定手段による判定結果に基づいて、前記開始条件の成立前に前記保留表示を、通常保留表示態様または該通常保留表示態様とは異なる特別保留表示態様で表示することにより、前記特定遊技状態となる可能性を予告する保留変化予告を実行する保留変化予告制御手段と、
Ｈ　前記識別情報表示手段により前記識別情報の可変表示が開始される場合に、該可変表示に対応する前記保留表示を特定表示として所定領域に表示可能な特定表示手段と、
Ｉ　前記抽選手段および／または前記先読み判定手段による判定結果に基づいて、前記特定表示を、通常表示態様とは異なる特別表示態様で表示することにより、前記特定遊技状態となる可能性を予告する特定表示予告を実行する特定表示予告制御手段とを備えた遊技機であって、
Ｊ　前記特定表示予告制御手段は、前記識別情報の可変表示として、前記特定表示予告がその後に実行されることを示唆する識別情報であって前記当り識別情報の組み合わせを構成しない特定識別情報が、前記複数の前記識別情報表示位置の少なくとも一つに停止表示された場合に、その後該特定表示予告を実行し、
　前記特定識別情報が停止表示された場合には、その後、前記特定表示予告を実行するとともに前記特定識別情報が停止表示された前記識別情報位置を含む全ての前記識別情報表示位置において前記特定識別情報以外の前記識別情報の可変表示を開始する、遊技機。」
で一致し、相違する点はない。
　よって、本願発明は引用発明である。
第６　請求人の主張について
　１　請求人は、令和２年４月１０日付け意見書において、「特別図柄が変動開始したことに応じて装飾図柄５１が１回目の擬似変動を開始する。１回目の擬似変動中の所定のタイミング（例えば、１回目の擬似停止の直前）、当該保留アイコン５２０自体の表示態様が白から青に変化し、１回目の擬似停止が行われる。擬似停止状態では、３つの装飾図柄は完全に停止せずに、遊技者が停止したと認識可能な態様で仮停止（微変動）する。」との記載があります。
　そして、引用文献１の段落０１１４の「下から３行」には、「図１８に示すように、擬似停止状態では、中装飾図柄５１ｂとして「７」図柄が停止されるが、擬似停止状態であることを示す図柄としての「連続」の文字が書かれた装飾図柄が用意されて擬似停止されてもよい。」との記載があります。
　引用文献１の段落０１１４の「上から７行」の記載に、同文献の「下から３行」の記載を組み合わせると、「疑似変動の開始」→「その後、当該保留アイコン５２０の表示態様が変化（白→青）」→「『連続』の文字が書かれた装飾図柄の疑似停止」→「疑似変動の再開」の順の動作が得られるかもしれません。
　この場合、「『連続』の文字が書かれた装飾図柄」が疑似停止する前に、「当該保留アイコン５２０の表示態様が変化」します。そのため、疑似停止される「『連続』の文字が書かれた装飾図柄」に、「特定表示予告がその後に実行されることを示唆する」という機能はありません。すなわち、「『連続』の文字が書かれた装飾図柄」は、「変動動作が連続すること」以上の意味はなく、本願の請求項１の「特定表示予告がその後に実行されることを示唆する特定識別情報」に相当しません。」と主張する。
　しかしながら、上記「第５　対比（ｊ）」において述べたように、引用発明の構成ｊの「「連続」の文字が書かれた装飾図柄」は、「擬似連続予告演出が行われ」ていることを示す（「変動動作が連続すること」という意味を含んでいる）ものであると同時に、擬似連続予告演出が行われると、その後、「当該保留アイコン５２０が変化」することがあるのだから、「特定表示予告がその後に実行されることを示唆」していることは自明である。
　よって、請求人の主張は採用できない。
　２　請求人は、同意見書において、「ところで、引用文献１の段落０１１５の「上から２行」には、「その後、図１９に示すように、２回目の擬似変動が開始され、２回目の擬似変動中に当該保留アイコン５２０の色が青から黄に変化する。」との記載があります。引用文献１の段落０１１５の「上から２行」の記載に、同文献の「下から３行」の記載を組み合わせると、「疑似変動の再開」→その後、「その後、当該保留アイコン５２０の表示態様が変化（青→黄）の順の動作が得られるかもしれません。
　この場合、当該保留アイコン５２０の表示態様の変化」が、疑似変動の再開からしばらく時間が経過した後に行われます。「当該保留アイコン５２０の表示態様の変化」は、停止後に再開される疑似変動の大当り信頼度を表すのですが、疑似変動の開始から「当該保留アイコン５２０の表示態様の変化」までの間に所定のタイムラグがあるために、「当該保留アイコン５２０の表示態様の変化」を用いた予告を効果的に報知できません。」と主張する。
　しかしながら、「第５　対比（ｊ）」において検討したとおり、引用文献１の【０１１８】には「擬似変動の開始のタイミングに応じて、当該保留アイコン５２０が変化」「してもよい。」と記載されており、これは、「疑似変動の開始から「当該保留アイコン５２０の表示態様の変化」までの間に所定のタイムラグが発生しないということを意味しており、請求人のいう、「当該保留アイコン５２０の表示態様の変化」を用いた予告が効果的に報知されていることを意味している。
　よって、当該主張についても、採用できるものではない。
第７　むすび 
　以上のとおり、本願発明は引用発明であるから、特許法第２９条第１項第３号の規定により特許を受けることができない。
　よって、結論のとおり審決する。